(57)【要約】      （修正有）【課題】従来の器では、猫の習性である排泄後の”砂かけ”によって、排泄物周辺の砂等がかき乱され、猫自身の手足に付着した排泄物や砂等により、器外周辺への汚れや飛散の発生が少なくない。また”砂かけ”による周囲の砂等への汚れの拡散と、それに伴う”におい”の拡散、および汚れた砂等の処理量の増大等々の不都合・支障の軽減や後始末の簡便化を目指す。【解決手段】従来の形状を変え、ふた１と身４のある箱形状とし、ふた１中央部に開けた穴２から、飼い猫が排泄物を落とせるようにし、穴２の下に置かれた受け容器５で受ける仕組みにより、課題を解決する。猫にはそのような排泄の仕方をする習性がある。【選択図】図１
0003136264.tif 000002
【実用新案登録請求の範囲】
【請求項１】
飼い猫用トイレとしての器につき、飼い猫が排泄する場所とその排泄物を受ける部分とを物理的に切り離した器にて、全体の形状は箱状とし、その中央部に穴の空いた着脱できるふたと、その穴の下で、排泄物を受ける容器がズレないようにリブ等で位置決めされた身を備え、ふたはおぼん状にて、その盤面は身の中に入って身の高さより一段低く、ふたの位置ズレ防止も兼ね、その面の周囲に溝を設けた形状。
【考案の詳細な説明】
【技術分野】
【００１】  本考案は、飼い猫が使用するトイレとしての器に関する。
【背景技術】
【００２】  従来の飼い猫用トイレまたはトイレを兼ねる多目的の器は、排泄する部分としての、深さが無いか少ないおぼん状の器に、砂や紙製加工品等の疑似砂（以下砂等と略す）を敷いて排泄する場所とし、排泄物を受ける場所との区別が無かった。  また、砂等の下に液体を通す網状のプラスチック等の板、その下に吸水マット等の構成で、便の大小を分ける仕組みもあるが、基本的には同じである（図２、図３）。
【考案の開示】
【考案が解決しようとする課題】
【００３】  しかしこれでは、猫の習性である排泄後の、いわゆる”砂かけ”により、排泄物周辺の砂等がかき乱される結果、猫自身の手足が汚れたり砂等が付着し、その器から出た時に周辺も汚れたり、砂等も飛散する不都合が少なからず生じた。【００４】  排泄後時間が経過するにつれ、器内の砂等の汚れも徐々に広がり、また排泄物特有の”におい”の拡散も少なからず生じた。【００５】  排泄物本来の量に比較して、処理すべき砂等の量や排泄前の状態に戻す面積も増えて手間もかかる不便や、汚れの判別がしにくい場合などには処理の取り残しも少なからず生じ、衛生面に支障が生ずることもあった。
【課題を解決するための手段】
【００６】  そこで、深さが無いか少ないおぼん形状を変えて、高さのある箱状の器とし、排泄をしようとする場所と排泄物を受ける部分とを切り離して設けた器を考案した。  箱状の器のふたは身から脱着でき、そのふたに穴を開けて、その上で排泄すれば便の大小共に、穴の下（身の中）に置いた受け容器の中に落ちる仕組みである（図１）。
【考案の経緯と考察】
【００７】  これは大昔から在る人間用の＜おまる＞の形状に似ているが、本考案に関して、重要な前提条件ともいうべき事柄、つまり猫が『穴から下へ排泄物を落とす』という動作が可能か、あるいはそのような習性・意思を有するものか、について説明したい。
【００８】  考案者（＝出願人）は、現在２匹の猫を飼っており、図１とほぼ同じ形状の物を作成して飼い猫に使用させている。
ある時、先に飼っていた１匹が何故か洗面所の陶製の洗面器具の中で、排水口目がけて大便を落としているのを目撃した。  肛門を排水口に押しつけることなく２０センチほどの高さから落としていた。  これを見て、人間用の便器で用を足す猫もいると聞いたことがあるのを思い出し、図１に似た物を作ってあてがったところ、見事に大小ともに用を足した。  後から飼った１匹にも作ってあてがったが、先の猫を見ているせいか、訝ることもなく同様に用を足し、現在に至っている。  しかし肛門の高さは、２匹ともふたの穴より少し高く、穴の縁に近い位置である。
習性である排泄後の”砂かけ”は相変わらず残っていて、ふたの穴周辺を、砂等が有るかのごとく掻いているが、この排泄の仕方は考案者の飼い猫だけがするとは考えられず、現に従来のトイレ用品においても、敷かれた砂等に凹状のくぼみを作って排泄することはよく知られている。
しかしながら、更なる検証の為により多くの事例を求めるならば、本考案が出願前に公になってしまうおそれもあり、またこれ以上飼い猫を増やすのも無理である。  因みに考案者の飼い猫は２匹とも雌である。
猫は清潔好きとよく言われるが、本考案は飼い主は元より、猫にとっても有意義なものと考える。  以上の考案経緯と考察を以て上記疑問の根拠としたい。
【考案の効果】
【００９】  この考案によって、”砂かけ”動作をしても砂等に触れることはなく、従って猫自身の手足が汚れることも、器周辺が汚れることも、砂等の飛散も防止できる。
【０１０】  排泄物は受け容器の中だけに収まったまま広がることはなく、”においの出口”も狭められる。
【０１１】  飼い主は、ふたを外し容器を取り出すだけで処理も簡便になり、最低必要量の砂等を補給し、リブ等で囲まれた定位置に戻せばよい。  場合により、砂等の代わりに新聞紙を細かく切ったものも使用できる。  この受け容器はもとより器全体もあまり大きな物ではないため、簡単に洗うこともでき、清潔に保て衛生面での支障もなくなる。
【考案を実施するための最良の形態】
【０１２】  本考案に係わる飼い猫用トイレは、図１に示すように箱状で脱着可能なふた１のほぼ中央に穴２を開けて、穴の下（身４の中）に、箱状で上面の無い受け容器５を置くことで、猫が穴の上で排泄した物を受けて収めておける形態とする。
ふた１の穴２の形状は、四角形か円形が望ましく、また猫が乗るために、ふたの盤面の強度を高めることと、万一盤面上に尿がこぼれた場合足が汚れることを極力避けるためとを考慮して溝３を設ける。  そのため盤面は穴２から溝３へ少し傾斜をつければ一層良い。  下の受け容器５の形状も四角柱か円柱状が望ましく、その平面はふた１の穴２のサイズよりも大きくする。  素材としては、安全性・衛生面・加工性等を考慮すれば、プラスチックが最適である。
【図面の簡単な説明】
【０１３】
【図１】  本考案に係る飼い猫用トイレの側面の断面図である。
【図２】  従来品の、排泄場所（部分）として一般的構造の断面図である。
【図３】  従来品で、液体を通す網状板と、吸水マット等が付いた構造の断面図である。
【符号の説明】
【０１４】      １    ふた
２    穴
３    溝
４    身
５    受け容器
６    砂等
７    リブ等
１０    従来のおぼん形状の器
２０    網状のプラスチック等の板
３０    吸水マット等
【図１】
0003136264.tif 000003
【図２】
0003136264.tif 000004
【図３】
0003136264.tif 000005
【手続補正書】
【提出日】平成19年1月25日(2007.1.25)
【手続補正１】
【補正対象書類名】実用新案登録請求の範囲
【補正対象項目名】全文
【補正方法】変更
【補正の内容】
【実用新案登録請求の範囲】
【請求項１】
飼い猫用トイレとしての器につき、飼い猫が排泄する場所とその排泄物を受ける部分とを物理的に切り離した器にて、全体の形状は箱状とし、その中央部に穴の空いた着脱できるふたと、その穴の下で、排泄物を受ける容器がズレないようにリブ等で位置決めされた身を備え、ふたはおぼん状にて、その盤面は身の中に入って身の高さより一段低く、ふたの位置ズレ防止も兼ね、その面の周囲に溝を設けた形状の飼い猫用トイレ。
【手続補正２】
【補正対象書類名】明細書
【補正対象項目名】全文
【補正方法】変更
【補正の内容】
【考案の詳細な説明】
【技術分野】
【００１】  本考案は、飼い猫が使用するトイレとしての器に関するものである。
【背景技術】
【００２】  従来の飼い猫用トイレまたはトイレを兼ねる多目的の器は、排泄する場所に砂や紙製加工品等の疑似砂（以下砂等と略す）が敷いてあり、排泄物を受ける場所が同一であって深さが無いか少ないおぼん状の器であった。また砂等の下に液体を通す網状のプラスチック等の板、その下に吸水マット等の構成で、便の大小を分ける仕組みもあるが、基本的には同じである（図３、図４）。
【考案の開示】
【考案が解決しようとする課題】
【００３】  しかしこれでは、猫の習性である排泄後の、いわゆる”砂かけ”により、排泄物周辺の砂等がかき乱される結果、猫自身の手足が汚れたり砂等が付着し、その器から出た時に周辺も汚れたり、砂等も飛散するなどの不都合が生じた。【００４】  排泄後、時間が経過するにつれ、器内の砂等の汚れも徐々に広がり、排泄物特有の”におい”の拡散も防ぎきれなかった。【００５】  排泄物本来の量に比較して、処理すべき砂等の量や排泄前の状態に戻す面積も増えて手間もかかる不便や、汚れの判別がしにくい場合などには処理の取り残しも少なからず生じ、衛生面に支障が生ずることもあった。
【課題を解決するための手段】
【００６】  そこで、深さが無いか少ないおぼん形状を変えて、高さのある箱状の器とし、排泄する場所と、その排泄物を受ける場所を切り離して設けた形状を考案した。箱状の器のふたは脱着でき、そのふたには穴が開けてあり、その上から排泄すれば便の大小共に、穴の下（身の中）に置かれた受け容器の中に落ちる仕組みである（図１、図２）。
【考案の効果】
【００７】  この考案によって、”砂かけ”動作をしても砂等に触れることはなく、従って猫自身の手足が汚れることも、器周辺が汚れることも、砂等の飛散も防止できる。【００８】  排泄物は受け容器の中だけに収まったまま広がることはなく、”においの出口”も狭められる。【００９】  飼い主は、ふたを外し容器を取り出すだけで処理も簡便になり、最低必要量の砂等を補給し、リブ等で囲まれた定位置に戻せばよい。  場合により、砂等の代わりに新聞紙を細かく切ったものも使用できる。  この受け容器はもとより器全体もあまり大きな物ではないため、簡単に洗うこともでき、清潔に保て衛生面での支障もなくなる。
【考案を実施するための最良の形態】
【０１０】  本考案に係わる飼い猫用トイレは、図１と図２に示すように箱状で脱着可能なふた１のほぼ中央に穴２を開けて、穴の下（身４の中）に、箱状で上面（ふた）の無い受け容器５を置くことで、猫が穴の上で排泄した物を受けて収めておける形態である。ふた１の穴２の形状は四角形か円形が望ましく、また猫が乗るために、ふたの盤面の強度を高めることと、万一盤面上に尿が流れた場合に足が汚れることを極力避けるためとを考慮して溝３を設ける。そのため盤面は穴２から溝３へ少し傾斜をつければ一層良い。下の受け容器５の形状も四角柱か円柱状が望ましく、その平面はふた１の穴２のサイズよりも大きくする。素材としては、安全性・衛生面・加工性等を考慮すれば、プラスチックが最適である。
【図面の簡単な説明】
【０１１】
【図１】本考案に係る飼い猫用トイレの、立体的概略図である。
【図２】図１の側面断面図である。
【図３】従来品の排泄容器として一般的構造の断面図である。
【図４】従来品で、液体を通す網状板と吸水マット等が付いた構造の断面図である。
【符号の説明】
【０１２】  １    ふた  ２    穴  ３    溝  ４    身  ５    受け容器  ６    砂等  ７    リブ等１０    従来のおぼん形状の器２０    網状のプラスチック等の板３０    吸水マット等
【手続補正３】
【補正対象書類名】図面
【補正対象項目名】全図
【補正方法】変更
【補正の内容】
【図１】
0003136264.tif 000006
【図２】
0003136264.tif 000007
【図３】
0003136264.tif 000008
【図４】
0003136264.tif 000009